(57)【要約】【課題】筐体本体に電源装置を収納するとともに電源装置の高温化を防止すること。【解決手段】実施形態に係る照明装置は、基板と、筺体と、電源装置とを具備する。基板は、一方の面に発光素子が実装される。筺体は、基板の他方の面が設置される設置面と、長手方向が前述の設置面と略平行かつ少なくとも一部が基板と重ならない位置に形成される収納部とを有する。電源装置は、筺体の収納部に配設され、筺体の設置面に設置された基板に電力を供給する。【選択図】図３
2014157844.tif 000002
【特許請求の範囲】
【請求項１】
一方の面に発光素子が実装された基板と；
前記基板の他方の面が設置される設置面と、長手方向が前記設置面と略平行かつ少なくとも一部が当該基板と重ならない位置に形成される底壁を底面とし、前記底壁の周縁部から延伸した側壁を側面とする内部空間に該当する収容部を有する筺体と；
前記筺体の収納部に配設され、前記設置面に設置された基板に電力を供給する電源装置と；
前記収容部底壁の裏側には、筐体の外面から一定間隔で互いに平行に突設されているとともに、それ以外の筐体外面には互いの間隔が周囲に向かうに従って大きくなるように突設された放熱フィンと；
を具備する照明装置。
【請求項２】
前記電源装置基板は、前記収容部の底壁に形成された側壁の高さよりも小さい高さを有する一対のねじ台に搭載され、底壁と電源基板間に間隔をあけて収容部内に配設されていることを特徴とする請求項１記載の照明装置。
【発明の詳細な説明】
【技術分野】
【０００１】
本発明の実施形態は、照明装置に関する。
【背景技術】
【０００２】
従来、ＬＥＤ（Light  Emitting  Diode）等の半導体発光素子を光源とする照明器具として、天井等に埋め込み設置されるダウンライトが用いられている。このような照明器具は、筺体本体にＬＥＤが実装された光源基板を具備し、ＬＥＤへの点灯電流を制御する電源装置が取り付けられる。また、近年では、筺体本体に電源装置が収納される照明器具も知られている。例えば、筺体本体の底壁の下面に光源基板が設置され、かかる底壁の上面に形成された収納部に電源装置を収納する照明器具が知られている。
【０００３】
しかし、上記の電源装置を収納する照明器具においては、光源基板の上部に収納部が位置するので、光源基板から発生する熱によって収納部内が高温化し、特に高温な空気ほど上昇するという性質から収納部の上部が高温化することが考えられる。このことは、収納部に収納される電源装置の性能劣化を招くとも考えられる。
【先行技術文献】
【特許文献】
【０００４】
【特許文献１】特開２０１０−１６００３号公報
【特許文献２】特開２０１１−１８７２４５号公報
【発明の概要】
【発明が解決しようとする課題】
【０００５】
本発明が解決しようとする課題は、筐体本体に電源装置を収納するとともに電源装置の高温化を防止することができる照明装置を提供することである。
【課題を解決するための手段】
【０００６】
実施形態に係る照明装置は、一方の面に発光素子が実装された基板と、前記基板の他方の面が設置される設置面と、長手方向が前記設置面と略平行かつ少なくとも一部が当該基板と重ならない位置に形成される底壁を底面とし、前記底壁の周縁部から延伸した側壁を側面とする内部空間に該当する収容部を有する筺体と、前記筺体の収納部に配設され、前記設置面に設置された基板に電力を供給する電源装置と、前記収容部底壁の裏側には、筐体の外面から一定間隔で互いに平行に突設されているとともに、それ以外の筐体外面には互いの間隔が周囲に向かうに従って大きくなるように突設された放熱フィンと、を有する。
【図面の簡単な説明】
【０００７】
【図１】図１は、実施形態に係る照明装置の外観例を示す斜視図である。
【図２】図２は、実施形態に係る照明装置の外観例を示す斜視図である。
【図３】図３は、実施形態に係る照明装置の分解例を示す斜視図である。
【図４】図４は、実施形態に係る照明装置の分解例を示す斜視図である。
【図５】図５は、実施形態に係る化粧枠の外観例を示す斜視図である。
【図６】図６は、実施形態に係る化粧枠及び配光調整部材の外観例を示す斜視図である。
【図７】図７は、図１に示したＩ−Ｉ線における断面を模式的に示す図である。
【図８】図８は、実施形態に係る押圧部によって押圧される基板を説明する説明図である。
【図９】図９は、実施形態に係る照明装置の組み立て例を説明する図である。
【図１０】図１０は、実施形態に係る照明装置の組み立て例を説明する図である。
【図１１】図１１は、実施形態に係る照明装置の組み立て例を説明する図である。
【図１２】図１２は、実施形態に係る照明装置の組み立て例を説明する図である。
【発明を実施するための形態】
【０００８】
以下で説明する実施形態では、照明装置１において、基板５０は、一方の第１面５１ａに発光素子５２が実装される。また、筺体１０は、基板５０の他方の第２面５１ｂが設置される設置面１３と、長手方向が設置面１３と略平行かつ少なくとも一部が基板５０と重ならない位置に形成される収納部１４とを有する。また、電源装置４０は、筺体１０の収納部１４に配設され、設置面１３に設置された基板５０に電力を供給する。
【０００９】
また、以下で説明する実施形態では、配光調整部材７０は、発光素子５２によって発光される光の配光を調整する。また、化粧枠３０は、配光調整部材７０が挿入可能な挿入孔の内面に内側方向へ突出した突出部３５を有し、配光調整部材７０が載置された突出部３５と筺体１０の設置面１３との間で配光調整部材７０を挟んだ状態で筺体１０に固設される。
【００１０】
また、以下で説明する実施形態では、配光調整部材７０は、化粧枠３０が筺体１０に固設されている場合に、基板５０を筺体１０の設置面１３に押圧する押圧部９３を有する。
【００１１】
また、以下で説明する実施形態では、配光調整部材７０は、発光素子５２によって発光される光を透過させる下面カバー８０と、発光素子５２によって発光される光を反射させる反射体９０とを有する。また、化粧枠３０は、配光調整部材７０が挿入可能な挿入孔の縁に切欠部３７ａ〜３７ｄが形成される。また、反射体９０は、突出部３５に載置された下面カバー８０と反射体９０とを離間した状態で切欠部３７ａ〜３７ｄに係止する係止部９１ａ〜９１ｄを有する。
【００１２】
また、以下で説明する実施形態では、化粧枠３０は、筺体１０が載置される挿入孔の縁に、筺体１０を固定するためのねじ穴３８ａ〜３８ｃが形成される。また、筺体１０は、ねじ穴３８ａ〜３８ｃに固定される固定ねじを貫通させるためのねじ通孔１９ａ〜１９ｃが形成されるとともに、収納部１４の底壁１４ａに電源装置４０を固定するためのねじ穴１５ａ及び１５ｂが形成される。また、電源装置４０は、ねじ穴１５ａ及び１５ｂに固定される固定ねじを貫通させるねじ通孔４１ａ及び４１ｂが形成される。
【００１３】
以下、図面を参照して、実施形態に係る照明装置を説明する。実施形態において同一の部位には同一の符号を付し、重複する説明は省略される。
【００１４】
［照明装置の外観例］
【００１５】
図１及び図２は、実施形態に係る照明装置１の外観例を示す斜視図である。図１では、照明装置１を斜め上方向から見た例を示し、図２では、照明装置１を斜め下方向から見た例を示す。
【００１６】
図１及び図２に示した照明装置１は、例えば、屋内の天井に埋め込み設置されるダウンライト形の照明器具であり、内部に実装されたＬＥＤ等の発光素子を発光させることにより、図１及び図２に示した下方向に位置する室内等を照明する。かかる照明装置１は、筺体１０と天板２０と化粧枠３０とを具備する。
【００１７】
筺体１０は、熱伝導性の高い金属であり、例えばアルミダイカストにより成型される。また、筺体１０は、外面１１に一定間隔で複数の放熱フィン１２が突設される。放熱フィン１２は、筺体１０の内部に実装された発光素子から発生する熱を筺体１０の外部に放出させる。なお、図１に示した例では、一部の放熱フィンに符号１２を付したが、外面１１から外側方向に突設される部材は放熱フィン１２に該当する。
【００１８】
天板２０は、例えば金属製であり、筺体１０の上部に固設されることにより筺体１０の内部空間を閉塞する。なお、筺体１０の内部空間とは、後述する電源装置４０が収納される収納部１４に該当する。
【００１９】
化粧枠３０は、例えばＡＢＳ樹脂等の合成樹脂製であり、筺体１０に固設されることにより、照明装置１の発光面を外部から直視しづらくし眩しさを低減するための枠部材である。例として合成樹脂製としたが、アルミダイカストなどの金属製であってもよい。また、化粧枠３０は、下端部に外向き突出された環状フランジ３１を有し、外面３２にばね取付け部３３ａ〜３３ｃが形成される（後述する図５や図９を参照）。これらのばね取付け部３３ａ〜３３ｃには、それぞれ取付けばね３４ａ〜３４ｃが取り付けられる。
【００２０】
取付けばね３４ａ〜３４ｃは、金属板の弾性部材であり、ばね取付け部３３ａ〜３３ｃに取り付けられた状態で外部から上方向に押圧されることにより、化粧枠３０の外面３２と略平行となる位置まで折れ曲がることが可能である。照明装置１は、天井に埋め込み設置される場合に、取付けばね３４ａ〜３４ｃが外面３２と略平行となる位置まで折り曲げられた状態で天井壁の埋め込み孔に挿入され、環状フランジ３１が天井に接触するまで押し上げられる。そして、取付けばね３４ａ〜３４ｃが、外部から押圧されなくなることで図１及び図２に示した状態に復元し、環状フランジ３１との間で天井壁を挟持する。これにより、照明装置１は、天井に埋め込み設置される。
【００２１】
［照明装置の分解例］
【００２２】
次に、実施形態に係る照明装置１の分解例について説明する。図３及び図４は、実施形態に係る照明装置１の分解例を示す斜視図である。図３では、照明装置１を斜め上方向から見た例を示し、図４では、照明装置１を斜め下方向から見た例を示す。
【００２３】
図３及び図４に示すように、実施形態に係る照明装置１は、図１及び図２を用いて説明した筺体１０、天板２０及び化粧枠３０の他に、電源装置４０と、基板５０と、シート６０と、配光調整部材７０とを具備する。
【００２４】
まず、筺体１０、天板２０、電源装置４０、基板５０及びシート６０について説明する。筺体１０は、図４に示すように、シート６０を介して基板５０が設置される略円形状の設置面１３を有する。また、筺体１０は、設置面１３の周縁部から下向きに延伸した環状壁１３ａが形成される。
【００２５】
また、筺体１０は、図３に示すように、電源装置４０が収納される収納部１４が内部に形成される。収納部１４は、長手方向が設置面１３と略平行であり、かつ、少なくとも一部が基板５０と重ならない位置に形成される。具体的には、筺体１０は、図３に示すように、設置面１３の裏側に略矩形状の底壁１４ａを有する。かかる底壁１４ａは、長手方向が設置面１３と略平行であり、少なくとも一部が基板５０と重ならない位置に形成される。また、筺体１０は、底壁１４ａの周縁部から上向きに延伸した側壁１４ｂを有する。収納部１４は、このような底壁１４ａを底面とし側壁１４ｂを側面とする上端が開放された空間により形成される。
【００２６】
また、筺体１０は、収納部１４から設置面１３へ連通する貫通孔１４ｃが形成される。かかる貫通孔１４ｃは、設置面１３に設置される基板５０と収納部１４に収納される電源装置４０とを接続するための通線孔となる。
【００２７】
また、図４に示すように、筺体１０は、底壁１４ａの裏側に放熱フィン１２ａが突設される。かかる放熱フィン１２ａは、発光素子から発生する熱を収納部１４から外部に放出させる。なお、図４に示した例では、一部の放熱フィンに符号１２ａを付したが、筺体１０の下面から下方向に突設される部材は放熱フィン１２ａに該当する。
【００２８】
また、筺体１０は、図３に示すように、底壁１４ａに電源装置４０を固定するためのねじ穴１５ａ及び１５ｂが形成される（後述する図１１を参照）。具体的には、底壁１４ａには、側壁１４ｂの高さよりも小さい高さを有するねじ台１５ｃ及び１５ｄが形成され（後述する図１１を参照）、かかるねじ台１５ｃの上面にねじ穴１５ａが形成され、ねじ台１５ｄの上面にねじ穴１５ｂが形成される。
【００２９】
また、筺体１０は、筺体１０の上端面に天板２０を固定するためのねじ穴１６ａ〜１６ｃが形成される。図３の例では、筺体１０は、収納部１４の縁にねじ穴１６ａ及び１６ｂが形成され、収納部１４の縁以外にもねじ穴１６ｃが形成される。
【００３０】
また、筺体１０は、端子台１７を取り付けられる端子台取り付け板１０ａを有する。かかる端子台取り付け板１０ａには、端子台１７が固設される際に金属等の固定ねじが貫通するためのねじ通孔１８が形成される。
【００３１】
端子台１７は、図示しない商用交流電源からの電力供給を電源装置４０に中継する。かかる端子台１７は、ねじ穴１７ａが形成されており、固定ねじが上方から筺体１０のねじ通孔１８を貫通してねじ穴１７ａにねじ込まれることにより筺体１０に固設される。
【００３２】
電源装置４０は、収納部１４に格納可能なように、底壁１４ａよりも小さい大きさの平面形状に形成される。かかる電源装置４０は、収納部１４に配設され、端子台１７から中継される電力を設置面１３に設置された基板５０に電源線５４を介して供給する。なお、図３及び図４では図示することを省略したが、電源装置４０は、電界コンデンサ等の複数の電気部品を実装する。かかる電源装置４０は、筺体１０のねじ穴１５ａ及び１５ｂと対向する位置に、ねじ通孔４１ａ及び４１ｂが形成される。そして、電源装置４０は、固定ねじが上方からねじ通孔４１ａ及び４１ｂを貫通して筺体１０のねじ穴１５ａ及び１５ｂにねじ込まれることにより筺体１０に固設される。これにより、電源装置４０は、筺体１０の収納部１４に収納される。
【００３３】
天板２０は、上面にねじ通孔２１ａ〜２１ｃが形成されており、固定ねじがねじ通孔２１ａ〜２１ｃを貫通して筺体１０のねじ穴１６ａ〜１６ｃにねじ込まれることにより筺体１０に固設される。これにより、天板２０は、筺体１０に形成された収納部１４を閉塞する。
【００３４】
基板５０は、筺体１０の環状壁１３ａに囲まれた設置面１３に設置可能な大きさの平面形状に形成される。かかる基板５０は、発光素子５２が実装される第１面５１ａと、シート６０を介して筺体１０の設置面１３に設置される第２面５１ｂとを有する。実施形態に係る基板５０は、ＳＭＤ（Surface  Mount  Device）形で構成されているものとし、複数の発光素子５２が第２面５１ｂに実装される。ただし、基板５０は、ＳＭＤ形に限られず、マトリックス状や千鳥状や放射状など規則的に一定の順序をもって第２面５１ｂの一部又は全体に複数の発光素子５２が配列されて実装されたＣＯＢ（Chip  on  Board）形であってもよい。
【００３５】
また、図４に示すように、基板５０の第１面５１ａには、コネクタ５３が設けられる。
【００３６】
かかるコネクタ５３には、電源線５４の一端が接続される。また、電源線５４の他端は、貫通孔１４ｃを介して、筺体１０の収納部１４に収納されている電源装置４０と接続される。
【００３７】
このような基板５０は、電源装置４０から供給される電力によって発光素子５２を発光させることで室内等に光を提供する。一方で、基板５０は、点灯時の発光素子５２が発熱するので、収納部１４等の温度を上昇させる可能性がある。
【００３８】
シート６０は、熱伝導性の高い合成樹脂製であり、かかるシート６０は、環状壁１３ａに囲まれた設置面１３に設置可能な大きさの平面形状に形成され、基板５０の第２面５１ｂ及び筺体１０の設置面１３の双方と密に面接触することで、基板５０を筺体１０の設置面１３に密着させる。設置面１３に密着させられた基板５０は、筺体１０の貫通孔１４ｃを介して、収納部１４に収納される電源装置４０と接続される。
【００３９】
ここで、基板５０から発生する熱は、シート６０を介して熱伝導性の高い金属である筺体１０に伝導させられ、筺体１０から放熱フィン１２を介して大気中に放出される。これにより、照明装置１では、基板５０や収納部１４の温度上昇を抑制することができる。
【００４０】
また、上記の通り、実施形態に係る照明装置１において、収納部１４は、長手方向が設置面１３と略平行であり、かつ、少なくとも一部が基板５０と重ならない位置に形成される。このため、実施形態に係る照明装置１では、基板５０から発生する熱によって高温化した空気が上昇した場合に、基板５０と重なっている収納部１４の一部分が高温化することがあっても、収納部１４全体が高温化することを防止することができる。この結果、実施形態に係る照明装置１は、収納部１４に収納される電源装置４０の高温化を防止できるので、電源装置４０の性能劣化を防止することができる。また、実施形態に係る照明装置１では、収納部１４を形成する底壁１４ａと略平行となるように板状の電源装置４０を配設することとしたので、収納部１４の短手方向（高さ方向）の寸法を短くすることができる。すなわち、実施形態に係る照明装置１では、照明装置１自体の大型化を伴うことなく、電源装置４０の高温化を防止することができる。
【００４１】
続いて、筺体１０、化粧枠３０及び配光調整部材７０について説明する。筺体１０には、化粧枠３０が固設される際に固定ねじが貫通するためのねじ通孔１９ａ〜１９ｃが形成される。図３及び図４に示した例では、ねじ通孔１９ａ〜１９ｃは、設置面１３の周縁部に形成される。また、ねじ通孔１９ａの上側には、固定ねじを上方から貫通させることを可能とするための逃げ１９ｄが形成され、同様に、ねじ通孔１９ｂの上側には逃げ１９ｅが形成される（後述する図１１を参照）。
【００４２】
化粧枠３０は、図３及び図４に示すように、上下両端がそれぞれ略円形に開口され、化粧枠３０の下端縁には、下端縁から外向きに突出された環状フランジ３１が形成される。
【００４３】
化粧枠３０の上端縁の直径は、環状壁１３ａの直径と略同一である。また、化粧枠３０の内面のうち所定の高さに位置する内面には、内側方向（開口円の中心方向）へ突出した円形状の突出部３５が形成される。さらに、化粧枠３０の内面には、内側方向（開口円の中心方向）へ突出するとともに突出部３５と上端縁とを結ぶ位置決め部３６が形成される。
【００４４】
また、化粧枠３０の上端開口部の縁には、切欠部３７ａ〜３７ｄが形成されるとともに、筺体１０に固定されるためのねじ穴３８ａ〜３８ｃが形成される（後述する図５及び図９を参照）。なお、図３の例において、化粧枠３０の内径は、上端開口部から突出部３５に向かうまで略同一であり、突出部３５から下端開口部に向かうほど次第に大きく形成される。
【００４５】
配光調整部材７０は、発光素子５２によって発光される光の配光を調整する部材であり、下面カバー８０及び反射体９０を含む。下面カバー８０は、例えば、アクリル樹脂やポリカーボネート等の透光性のカバーであり、化粧枠３０の突出部３５に載置可能なように、化粧枠３０の上端開口部の内径よりも小さく、かつ、突出部３５の内径よりも大きい略平面円形状に形成される。また、下面カバー８０には、化粧枠３０の位置決め部３６よりも少し大きく領域が切り欠けた切欠部８１が形成される。
【００４６】
下面カバー８０は配光調整機能の他に、外部から導電部を保護する役割をしている。このような下面カバー８０は、化粧枠３０の上端開口部から挿入され、突出部３５に載置される。このとき、切欠部８１は、位置決め部３６に係止することで、突出部３５に載置された下面カバー８０が回転することを防止する。
【００４７】
反射体９０は、例えば、耐光性、耐熱性及び電気絶縁性を有する白色の合成樹脂性であり、発光素子５２によって発光される光の配光を調整する。かかる反射体９０は、化粧枠３０の上端開口部から挿入可能なように、化粧枠３０の上端開口部の内径よりも小さい略円形状に形成される。また、反射体９０は、発光素子５２によって発光される光が通過可能なように、上下両端がそれぞれ略円形に開口される。この反射体９０の内径は、上端開口部から下端開口部に向かうほど次第に大きく形成される。
【００４８】
また、反射体９０は、下面９２を下面カバー８０に載置させないために、係止部９１ａ〜９１ｄが外面に形成される（後述する図６及び図１０を参照）。これらの係止部９１ａ〜９１ｄは、突出部３５に載置された下面カバー８０と反射体９０とを離間した状態で化粧枠３０の切欠部３７ａ〜３７ｄに係止する。この点について、図５及び図６を用いて説明する。
【００４９】
図５及び図６は、実施形態に係る化粧枠３０及び配光調整部材７０の外観例を示す斜視図である。図５では、化粧枠３０に下面カバー８０が挿入された状態を示す。図６では、化粧枠３０に下面カバー８０及び反射体９０の双方が挿入された状態を示す。
【００５０】
図５に示すように、下面カバー８０は、化粧枠３０の上端開口部から挿入された場合、化粧枠３０を貫通せずに突出部３５に載置される。そして、図６に示すように、反射体９０は、下面カバー８０が挿入されている化粧枠３０に挿入された場合、係止部９１ａ〜９１ｄが切欠部３７ａ〜３７ｄに係止することで挿入される深さが決められ、下面カバー８０には載置されない。すなわち、実施形態に係る照明装置１においては、下面カバー８０が載置されている突出部３５の載置面と、反射体９０の下面９２との距離が下面カバー８０の厚さよりも長くなるように、反射体９０の外面に係止部９１ａ〜９１ｄが形成される。
【００５１】
上述した化粧枠３０は、下面カバー８０及び反射体９０の双方が挿入された状態で、固定ねじが筺体１０のねじ通孔１９ａ〜１９ｃを上方から貫通して化粧枠３０のねじ穴３８ａ〜３８ｃにねじ込まれることにより筺体１０に固設される。すなわち、筺体１０及び化粧枠３０は、基板５０と下面カバー８０と反射体９０とを挟んだ状態で固設される。このように、実施形態に係る照明装置１では、固定ねじによって、筺体１０の基板５０を固設したり、化粧枠３０に下面カバー８０を固設したり、化粧枠３０に反射体９０を固設したりしないので、照明装置１の組み立てを容易にすることができ、組み立てにかかる作業スピードの向上を図ることができる。
【００５２】
［照明装置の断面例］
【００５３】
次に、実施形態に係る照明装置１の断面について説明する。図７は、図１に示したＩＩ線における断面を模式的に示す図である。図７に示すように、下面カバー８０は、化粧枠３０の突出部３５に載置される。また、反射体９０は、係止部９１ａ〜９１ｄが切欠部３７ａ〜３７ｄに載置されることで、反射体９０の下面９２と下面カバー８０とを離間させた状態で化粧枠３０に挿入される。
【００５４】
また、収納部１４の長手方向Ｌ１は、基板５０の設置面１３と略平行であり、かつ、収納部１４の少なくとも一部は、基板５０と重ならない。また、収納部１４から設置面１３へ貫通する貫通孔１４ｃが形成される。
【００５５】
ここで、化粧枠３０が筺体１０に固設された場合に、反射体９０の上端開口部における縁は、基板５０を筺体１０の設置面１３に押圧する押圧部９３（図３及び図６を参照）として機能する。具体的には、図７に示した例において、化粧枠３０及び筺体１０は、固定ねじによって固設された場合、互いに密着する方向に力が加えられる。このとき、化粧枠３０の切欠部３７ａ〜３７ｄが、反射体９０の係止部９１ａ〜９１ｄを設置面１３に向かう方向に押し上げる。この結果、押圧部９３は、基板５０を設置面１３に押圧することとなる。
【００５６】
図８を用いて、押圧部９３によって押圧される基板５０について説明する。図８に示した例において、反射体９０の押圧部９３は、基板５０の第１面５１ａうち点線で示した位置を設置面１３に向かう方向に押圧する。これにより、実施形態に係る照明装置１では、設置面１３、シート６０及び基板５０を密着させることができるので、基板５０から設置面１３への熱伝送性を高めることができる。この結果、実施形態に係る照明装置１では、基板５０を筺体１０によって効率良く冷却することができるので、基板５０や収納部１４の温度上昇を抑制することができる。
【００５７】
［照明装置の組み立て例］
【００５８】
次に、図９〜図１２を用いて、実施形態に係る照明装置１の組み立て例について説明する。なお、図９〜図１２では、照明装置１を上方向から見た例を示す。まず、図９に示すように、化粧枠３０が置かれ、取付けばね３４ａ〜３４ｃが取り付けられる。続いて、下面カバー８０が化粧枠３０の突出部３５に載置される。
【００５９】
続いて、図１０に示すように、反射体９０が化粧枠３０に挿入される。このとき、反射体９０の係止部９１ａ〜９１ｄが化粧枠３０の切欠部３７ａ〜３７ｄ（図９を参照）に係止することで、反射体９０が挿入される位置が決められる。続いて、基板５０が反射体９０の上に載置され、シート６０が基板５０の上に載置される。
【００６０】
続いて、図１１に示すように、筺体１０が化粧枠３０上に載置される。そして、筺体１０のねじ通孔１９ａ〜１９ｃを貫通した固定ねじが、化粧枠３０のねじ穴３８ａ〜３８ｃにねじ込まれる。このねじ固定作業により、化粧枠３０、基板５０と、シート６０と、下面カバー８０及び反射体９０が筺体１０に取り付けられる。
【００６１】
続いて、電源装置４０が筺体１０の収納部１４に収納される。そして、電源装置４０のねじ通孔４１ａ及び４１ｂを貫通した固定ねじが筺体１０のねじ穴１５ａ及び１５ｂにねじ込まれる。これにより、電源装置４０が筺体１０に固設される。また、筺体１０のねじ通孔１８を貫通した固定ねじが端子台１７のねじ穴１７ａにねじ込まれる。これにより、端子台１７が筺体１０に固設される。
【００６２】
続いて、図１２に示すように、天板２０が筺体１０の上に載置される。そして、天板２０のねじ通孔２１ａ〜２１ｃを貫通した固定ねじが筺体１０のねじ穴１６ａ〜１６ｃ（図１１を参照）にねじ込まれる。これにより、天板２０が筺体１０に固設される。
【００６３】
図９〜図１２に示したように、実施形態にかかる照明装置１では、固定ねじをねじ込む方向が全て同一であるので、組み立て時に各部在の向きを変えることを要しない。例えば、実施形態にかかる照明装置１では、図９〜図１２に示したように、各部在を順次載置して、載置した向きのまま固定ねじをねじ込むことで組み立てられる。このため、実施形態に係る照明装置１は、組み立てにかかる作業スピードの向上を図ることができる。
【００６４】
上述してきたように、実施形態に係る照明装置１によれば、電源装置４０が収納される収納部１４の長手方向が基板５０の設置面１３と略平行であり、かつ、かかる収納部１４の少なくとも一部が基板５０と重ならない位置に形成される。
【００６５】
これにより、実施形態に係る照明装置１によれば、基板５０から発生する熱によって高温化した空気が上昇した場合であっても、収納部１４全体が高温化することを防止することができるので、収納部１４に収納される電源装置４０の高温化を防止することができる。例えば、電源装置４０に実装される電界コンデンサ等は熱に弱いことが知られているが、実施形態に係る照明装置１によれば、このような電源装置４０の性能劣化を防止することができる。
【００６６】
特に、実施形態に係る照明装置１によれば、図７に示した例ように、電源装置４０が収納部１４の底壁１４ａに近い位置に収納される。すなわち、実施形態に係る照明装置１によれば、高温化した空気は上昇するので、電源装置４０の収納位置の高温化を防止することができる。
【００６７】
また、実施形態に係る照明装置１によれば、筺体１０及び化粧枠３０が、基板５０と下面カバー８０と反射体９０とを挟んだ状態で固設される。これにより、実施形態に係る照明装置１によれば、固定ねじによって基板５０や下面カバー８０や反射体９０を固設することを要しないので、組み立てにかかる作業スピードの向上を図ることができる。
【００６８】
また、実施形態に係る照明装置１によれば、筺体１０に化粧枠３０が固設された場合に、反射体９０の押圧部９３が基板５０を設置面１３に向かう方向に押圧する。これにより、実施形態に係る照明装置１によれば、基板５０から設置面１３への熱伝送性を高めることができるので、基板５０や収納部１４の温度上昇を抑制することができる。
【００６９】
また、実施形態に係る照明装置１によれば、反射体９０の係止部９１ａ〜９１ｄが、下面カバー８０と反射体９０とを離間した状態で化粧枠３０の切欠部３７ａ〜３７ｄに係止する。これにより、実施形態に係る照明装置１によれば、筺体１０及び化粧枠３０が固設された場合であっても、反射体９０の下面９２によって下面カバー８０が突出部３５に向かう方向に押圧されることを防止できるので、下面カバー８０の破損を防止することができる。例えば、下面カバー８０は、反射体９０及び突出部３５によって押圧されている場合、基板５０からの熱によって熱膨張すると破損したり、軋む音を発する場合がある。しかし、実施形態に係る照明装置１によれば、下面カバー８０の破損を防止でき、また、下面カバー８０から軋む音が発せられることを防止できる。
［他の実施形態］
【００７０】
上記実施形態では、ダウンライトを例に挙げて説明したが、照明装置１は、天井に埋め込まれるタイプ以外の直付け照明器具等にも適用することができる。
【００７１】
また、上記実施形態では、固定ねじによって各部材を固設する例を示したが、照明装置１は、固定ねじ以外のピン等の固定部材によって各部材が固設されてもよい。
【００７２】
また、上記実施形態に係る各部材の形状、原料及び材質は、実施形態や図示したものに限られない。例えば、化粧枠３０や反射体９０の開口部は円形でなく矩形であってもよいし、同様に、化粧枠３０、基板５０、シート６０、下面カバー８０、反射体９０の外観は円形ではなく矩形であってもよい。また、収納部１４の形状や電源装置４０が収納される位置も上記例に限られない。例えば、図７では、電源装置４０の一部が貫通孔１４ｃの上部に位置する例を示したが、電源装置４０は、貫通孔１４ｃと重ならない位置に収納されてもよい。
【００７３】
以上説明したとおり、実施形態によれば、電源装置４０を収納するとともに電源装置４０の高温化を防止することができる。
【００７４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７５】
１  照明装置、１０  筺体、１３  設置面、１４  収納部、２０  天板、３０  化粧枠、４０  電源装置、５２  発光素子、
【図１】
2014157844.tif 000003
【図２】
2014157844.tif 000004
【図３】
2014157844.tif 000005
【図４】
2014157844.tif 000006
【図５】
2014157844.tif 000007
【図６】
2014157844.tif 000008
【図７】
2014157844.tif 000009
【図８】
2014157844.tif 000010
【図９】
2014157844.tif 000011
【図１０】
2014157844.tif 000012
【図１１】
2014157844.tif 000013
【図１２】
2014157844.tif 000014